(57)【特許請求の範囲】
【請求項１】
収容穴および前記収容穴と交差する柱貫通孔が設けられている木製柱、ならびに、建具を接続し、
前記木製柱の収容穴の中に少なくとも一部が挿入され、部材貫通孔を有する差込部材と、
前記建具を取付ける建具取付部材と、
前記差込部材に対して前記建具取付部材が相対回転できるように前記差込部材と前記建具取付部材とを連結する回転軸部材とを備える肘坪であって、
前記肘坪は、
前記柱貫通孔の中に配置され、前記部材貫通孔および前記収容穴を貫通する位置調整部材と、
前記位置調整部材が前記部材貫通孔および前記収容穴を貫通しているときに前記差込部材を挟むように前記位置調整部材へ接続されると、前記柱貫通孔の軸方向における前記位置調整部材の動きを拘束し、かつ、前記柱貫通孔を閉塞する、一対の閉塞部とをさらに備え、
前記部材貫通孔の内周面には雌ねじ部が設けられており、
前記位置調整部材は、前記部材貫通孔の内周面の雌ねじ部にねじ込まれる孔用雄ねじ部を有していることを特徴とする、肘坪。
【請求項２】
前記閉塞部は、
前記柱貫通孔の開口部を覆う被覆部と、
前記位置調整部材に接続され、かつ、前記柱貫通孔の軸方向の力を前記位置調整部材が受けたとき、前記木製柱のうち前記柱貫通孔の開口部を取り囲む部分に引っ掛かって前記位置調整部材の動きを拘束する、引掛部材とを有することを特徴とする、請求項１に記載の肘坪。
【請求項３】
前記引掛部材がナットであり、
前記位置調整部材には、前記ナットがねじ込まれるナット用雄ねじ部が設けられていることを特徴とする、請求項２に記載の肘坪。  
【請求項４】
木製柱の表面に収容穴を設ける工程と、
前記収容穴に肘坪の一部を挿入する工程と、
前記肘坪に建具を取付ける工程と、
前記肘坪の位置を調整する位置調整工程とを備え、
前記肘坪が、
前記木製柱の収容穴の中に少なくとも一部が挿入され、部材貫通孔を有する差込部材と、
前記建具を取付ける建具取付部材と、
前記差込部材に対して前記建具取付部材が相対回転できるように前記差込部材と前記建具取付部材とを連結する回転軸部材とを備える、肘坪の取付方法であって、
前記肘坪は、
前記部材貫通孔および前記収容穴を貫通する位置調整部材と、
前記位置調整部材に接続される、一対の閉塞部とをさらに備え、
前記部材貫通孔の内周面には雌ねじ部が設けられており、
前記位置調整部材は、前記部材貫通孔の内周面の雌ねじ部にねじ込まれる孔用雄ねじ部を有しており、
前記位置調整工程は、前記位置調整部材を動かすことで、前記孔用雄ねじ部と前記部材貫通孔の雌ねじ部とを介して前記差込部材の位置を調整する工程を有し、
前記肘坪の取付方法が、
前記木製柱の表面に前記収容穴を設けてから前記収容穴に肘坪を挿入するまでの間に、前記収容穴と交差する柱貫通孔を前記木製柱に設ける工程と、
前記柱貫通孔を前記木製柱に設けた後、前記柱貫通孔を通って前記部材貫通孔の雌ねじ部に前記孔用雄ねじ部がねじ込まれるよう、前記部材貫通孔および前記収容穴に前記位置調整部材を貫通させる工程と、
前記部材貫通孔および前記収容穴に前記位置調整部材を貫通させた後、前記差込部材を挟むように前記位置調整部材へ前記閉塞部を接続することで、前記柱貫通孔の軸方向における前記位置調整部材の動きを拘束し、かつ、前記柱貫通孔を閉塞する工程とをさらに備えることを特徴とする、肘坪の取付方法。
【発明の詳細な説明】
【技術分野】
【０００１】
本発明は、肘坪および肘坪の取付方法に関し、特に、木製柱に取付けられる肘坪の位置調整を容易化できる肘坪および肘坪の取付方法に関する。
【背景技術】
【０００２】
木製柱に建具を取付けるために古来用いられてきた蝶番を肘坪と称する。非特許文献１は、そのような肘坪の一例を示す。
【０００３】
非特許文献１に開示された肘坪は、取付に大変な手間がかかるという問題点がある。以下、その理由を説明する。
【０００４】
非特許文献１に開示された肘坪はおよそ次のような工程によって取付けられる。まず、木製柱の正面（この場合、門の外側を向いている面のこと）に、肘坪を取付けるための四角形の穴を開ける。次に、その四角形の穴に肘坪を挿入する。次に、肘坪のコ字型部分に建具を取付ける。次に、建具がうまく開閉するように肘坪の位置を調整する。このとき、必要に応じて肘坪と四角形の穴との間に楔を打ち込む。最後に、木製柱の側面（この場合、正面の隣面、すなわち、建具と向かい合う面のこと）に、目釘を通すための下孔を開け、そこに目釘を打ち込んで肘坪を木製柱に固定する。これらの工程の中で、肘坪の位置を調整する工程に大変な手間がかかる。
【０００５】
肘坪は木製柱の四角形の穴に挿入されているものである。そのため、肘坪の位置を調整するためには、四角形の穴の奥へ肘坪を押込むこと、そこから肘坪を少し引き抜くこと、および、楔を打つことが必要である。このときの肘坪の移動量は、作業者の試行錯誤によって決定される。この試行錯誤と、一つ一つの作業が多くの作業量を有することとが、手間の原因の一つとなる。
【０００６】
特許文献１は、このような問題点を解決し得る蝶番を開示する。この蝶番は、カバー本体と持ち送りと門扉固定部材とから構成されている。カバー本体は柱などに固定される。持ち送りの一端がカバー本体内に挿入される。持ち送りの他端が門扉固定部材に接続されている。持ち送りと門扉固定部材とがピンによって接続されているので、門扉固定部材はピンを中心に回ることができる。前述した持ち送りの一端には、カバー本体の外から挿入された調整ボルトがねじ込まれる。さらに、持ち送りには、調整ボルトの軸方向と直交する方向から、調整ビスがねじ込まれる。この調整ビスもカバー本体の外からねじ込まれる。このとき、調整ボルトを回転させることにより調整ボルトの軸方向に持ち送りを移動させることができる。調整ビスを回転させることにより、調整ビスの軸方向（調整ボルトの軸方向と直交する方向）に持ち送りを移動させることができる。
【０００７】
特許文献１に開示された発明によると、持ち送りの位置を微調整することで、門扉の取付作業を容易化することができる。
【先行技術文献】
【特許文献】
【０００８】
【非特許文献１】株式会社エイト、［online］、［平成22年6月3日検索］、インターネット〈URL：http://www.interactjp.com/eight/spec3.htm〉
【特許文献１】特開平１０−１３１６５３号公報
【発明の概要】
【発明が解決しようとする課題】
【０００９】
しかしながら、特許文献１に開示された発明には、木製柱に取付けられる肘坪に適用し難いという問題があった。以下、その理由を説明する。
【００１０】
木製柱に取付けられるような肘坪は、たとえば１００年以上といった極めて長期間にわたる耐久性を求められることがある。
【００１１】
一方、特許文献１にかかる蝶番を木製柱に取付ける場合には、その木製柱の側面に木ねじによってカバー本体を固定することとなる。このような構造では、極めて長期間にわたる耐久性を確保できない。
【００１２】
木製柱そのものを特許文献１に開示されたカバー本体代わりに用いることも考えられる。この場合、木製柱の隣り合う側面に１つずつ孔を開け、それらの孔の一方に調整ボルトを挿入する。それらの孔の他方に調整ビスを挿入する。調整ビスが挿入される孔の内径は調整ビスの外径より大きくしておく。調整ボルトと調整ビスとは持ち送りにねじ込まれる。これにより、木製柱の側面に木ねじによってカバー本体を取付ける必要がなくなる。
【００１３】
しかしながら、木製柱そのものを特許文献１に開示されたカバー本体の代わりに用いる場合、結局は持ち送りの位置調整に手間がかかるという問題が生じる。木製柱そのものを特許文献１に開示されたカバー本体の代わりに用いる場合、持ち送りのうち木製柱の内部に入っている部分を木製柱に開けた穴から覗いて見ることが容易と限らない。夕暮れ、曇り空、あるいは日陰といった状況の場合、そうでない場合に比べ、木製柱に開けた穴からその奥を覗いても何も見えない可能性は高くなる。木製柱に開けた穴からその奥を覗いても何も見えなければ、木製柱に開けた穴の奥に調整ビスをねじ込むための孔が位置しているか否かを判断することは難しい。このような場合には、持ち送りに調整ビスをねじ込むことができない。調整ビスをねじ込むことができなければ、結局、持ち送りの位置調整に手間がかかる。
【００１４】
本発明は、このような問題点を解消するためになされたものであり、その目的とするところは、木製柱に取付けられる肘坪の位置調整を容易化できる肘坪および肘坪の取付方法を提供することにある。
【課題を解決するための手段】
【００１５】
図面を参照して本発明の肘坪および肘坪の取付方法を説明する。なお、この欄で図中の符号を使用したのは、発明の内容の理解を助けるためであって、内容を図示した範囲に限定する意図ではない。
【００１６】
上記目的を達成するために本発明のある局面に従うと、肘坪１０は、木製柱１２、ならびに、建具１４を接続する。木製柱１２には、収容穴１５０および柱貫通孔１５４が設けられている。柱貫通孔１５４は、収容穴１５０と交差する孔である。肘坪１０は、差込部材２０と、建具取付部材２２と、回転軸部材２４とを備える。差込部材２０は、木製柱１２の収容穴１５０の中に少なくとも一部が挿入される。差込部材２０は、部材貫通孔４０を有する。建具取付部材２２は、建具１４を取付ける。回転軸部材２４は、差込部材２０に対して建具取付部材２２が相対回転できるように差込部材２０と建具取付部材２２とを連結する。肘坪１０は、位置調整部材５０と、一対の閉塞部６０とをさらに備える。位置調整部材５０は、柱貫通孔１５４の中に配置される。位置調整部材５０は、部材貫通孔４０および収容穴１５０を貫通する。閉塞部６０は、位置調整部材５０が部材貫通孔４０および収容穴１５０を貫通しているときに差込部材２０を挟むように位置調整部材５０へ接続されると、柱貫通孔１５４の軸方向における位置調整部材５０の動きを拘束し、かつ、柱貫通孔１５４を閉塞する。部材貫通孔４０の内周面には雌ねじ部４００が設けられている。位置調整部材５０は、孔用雄ねじ部８０を有している。孔用雄ねじ部８０は、部材貫通孔４０の内周面の雌ねじ部４００にねじ込まれる。
【００１７】
部材貫通孔４０が収容穴１５０の中で柱貫通孔１５４に対向しているとき、柱貫通孔１５４を光が通る。柱貫通孔１５４が木製柱１２を貫通しているためである。光が通るので、柱貫通孔１５４の一端からその中を覗いてみると、柱貫通孔１５４の奥に部材貫通孔４０が位置しているか否かが容易に分かる。このため、部材貫通孔４０の雌ねじ部４００に位置調整部材５０の孔用雄ねじ部８０を容易にねじ込むことができる。雌ねじ部４００に孔用雄ねじ部８０がねじ込まれると、閉塞部６０の接続完了前に位置調整部材５０を動かすことで、差込部材２０の位置を容易に調整できる。その結果、木製柱１２に取付けられる肘坪１０の位置調整を容易化できる。しかも、柱貫通孔１５４は閉塞部６０によって閉塞される。
【００１８】
また、上述した閉塞部６０は、被覆部９０と、引掛部材９２とを有することが望ましい。被覆部９０は、柱貫通孔１５４の開口部を覆う。引掛部材９２は、位置調整部材５０に接続され、かつ、柱貫通孔１５４の軸方向の力を位置調整部材５０が受けたとき、木製柱１２のうち柱貫通孔１５４の開口部を取り囲む部分１６０に引っ掛かって位置調整部材５０の動きを拘束する。
【００１９】
この場合、引掛部材９２は、木製柱１２の表面に常時大きな力を加え続ける必要がない。そのため、木製柱１２がそれほど硬くない木材でできていても、木製柱１２の表面が損傷を受ける可能性は低くなる。さらに、柱貫通孔１５４の両端の開口部は被覆部９０によって覆われる。これにより、木製柱１２の内部を保護できる。
【００２０】
もしくは、上述した引掛部材９２がナットであることが望ましい。この場合、位置調整部材５０にはナットがねじ込まれるナット用雄ねじ部８２が設けられる。
【００２１】
この場合、長期間使用した後、木製柱１２の経年変化によって木製柱１２とナットとの間に隙間ができても、そのナットを締め直すことで肘坪１０のガタツキを抑えることができる。その結果、引掛部材９２がナットでない場合に比べ、長期間にわたり、位置調整部材５０の動きを拘束する機能を維持できる。
【００２２】
本発明の他の局面に従うと、肘坪１０の取付方法は、木製柱１２の表面に収容穴１５０を設ける工程と、収容穴１５０に肘坪１０の一部を挿入する工程と、肘坪１０に建具１４を取付ける工程と、肘坪１０の位置を調整する位置調整工程とを備える。肘坪１０が、差込部材２０と、建具取付部材２２と、回転軸部材２４とを備える。差込部材２０は、木製柱１２の収容穴１５０の中に少なくとも一部が挿入される。差込部材２０は、部材貫通孔４０を有する。建具取付部材２２は、建具１４を取付ける。回転軸部材２４は、差込部材２０に対して建具取付部材２２が相対回転できるように差込部材２０と建具取付部材２２とを連結する。肘坪１０は、位置調整部材５０と、一対の閉塞部６０とをさらに備える。位置調整部材５０は、部材貫通孔４０および収容穴１５０を貫通する。閉塞部６０は、位置調整部材５０に接続される。部材貫通孔４０の内周面には雌ねじ部４００が設けられている。位置調整部材５０は、孔用雄ねじ部８０を有している。孔用雄ねじ部８０は、部材貫通孔４０の内周面の雌ねじ部４００にねじ込まれる。位置調整工程は、位置調整部材５０を動かすことで、孔用雄ねじ部８０と部材貫通孔４０の雌ねじ部４００とを介して差込部材２０の位置を調整する工程を有する。肘坪１０の取付方法は、木製柱１２の表面に収容穴１５０を設けてから収容穴１５０に肘坪１０を挿入するまでの間に、収容穴１５０と交差する柱貫通孔１５４を木製柱１２に設ける工程と、柱貫通孔１５４を木製柱１２に設けた後、柱貫通孔１５４を通って部材貫通孔４０の雌ねじ部４００に孔用雄ねじ部８０がねじ込まれるよう、部材貫通孔４０および収容穴１５０に位置調整部材５０を貫通させる工程と、部材貫通孔４０および収容穴１５０に位置調整部材５０を貫通させた後、差込部材２０を挟むように位置調整部材５０へ閉塞部６０を接続することで、柱貫通孔１５４の軸方向における位置調整部材５０の動きを拘束し、かつ、柱貫通孔１５４を閉塞する工程とをさらに備える。
【００２３】
部材貫通孔４０が収容穴１５０の中で柱貫通孔１５４に対向しているとき、柱貫通孔１５４を光が通る。光が通るので、柱貫通孔１５４の一端からその中を覗いてみると、柱貫通孔１５４の奥に部材貫通孔４０が位置しているか否かが容易に分かる。このため、部材貫通孔４０に位置調整部材５０を貫通させる工程において、部材貫通孔４０の雌ねじ部４００に位置調整部材５０の孔用雄ねじ部８０を容易にねじ込むことができる。雌ねじ部４００に孔用雄ねじ部８０がねじ込まれると、閉塞部６０の接続完了前に位置調整部材５０を動かすことで、差込部材２０の位置を容易に調整できる。その結果、木製柱１２に取付けられる肘坪１０の位置調整を容易化できる。しかも、柱貫通孔１５４は閉塞部６０によって閉塞される。
【発明の効果】
【００２４】
本発明によれば、木製柱に取付けられる肘坪の位置調整を容易化できる。
【図面の簡単な説明】
【００２５】
【図１】門の外観を示す図である。
【図２】本発明の実施形態にかかる肘坪の斜視図である。
【図３】本発明の実施形態にかかる木製柱の一部を示す図である。
【図４】本発明の実施形態にかかる肘坪が接続された木製柱および開き戸の断面図である。
【発明を実施するための形態】
【００２６】
以下、図面を参照しつつ、本発明の実施形態について説明する。以下の説明では、同一の部品には同一の符号を付してある。それらの名称および機能も同一である。したがって、それらについての詳細な説明は繰返さない。
【００２７】
［肘坪の用途の説明］
図１は、門の外観を示す図である。図１に示すように、ある種の門は、４つの肘坪１０と、一対の木製柱１２と、一対の開き戸１４（本実施形態においては、この開き戸１４を上述した建具の一例として示す）とを備える。肘坪１０は、木製柱１２と開き戸１４とに接続される。本実施形態の場合、１つの開き戸１４には２つの肘坪１０が接続される。肘坪１０が接続されることで、開き戸１４が開閉できる。
【００２８】
［肘坪の構造の説明］
図２は、本実施形態にかかる肘坪１０の斜視図である。図２を参照しつつ、本実施形態にかかる肘坪１０について説明する。
【００２９】
本実施形態にかかる肘坪１０は、差込部材２０と、建具取付部材２２と、回転軸部材２４と、全ねじボルト５０（本実施形態においては、この全ねじボルト５０を上述した位置調整部材の一例として示す）と、一対の閉塞部６０と、表側座金７０と、裏側座金７２と、裏側袋ナット７４とを備える。図２には、一対の閉塞部６０のうち片方のみを図示している。差込部材２０は木製柱１２に挿入される。差込部材２０は、開き戸１４の荷重を木製柱１２に伝える部材である。建具取付部材２２は、開き戸１４を取付ける部材である。建具取付部材２２は、コ字型部分１００を有する。このコ字型部分１００に開き戸１４の框が嵌まり、釘と図示しないボルトとで固定される。回転軸部材２４は、差込部材２０に対して建具取付部材２２が相対回転できるように、差込部材２０と建具取付部材２２とを連結する部材である。全ねじボルト５０は、木製柱１２の中における差込部材２０の位置を調整するための部材である。閉塞部６０は、全ねじボルト５０の双方の端部８２（本実施形態においては、全ねじボルト５０の端部８２を上述したナット用雄ねじ部の一例として示す）に接続される。表側座金７０と裏側座金７２と裏側袋ナット７４との説明は、後に行う。
【００３０】
差込部材２０は、軸受３０と、フラットバー３２と、深さ調整部３４とを有する。軸受３０は、回転軸部材２４を支える。フラットバー３２は、木製柱１２に挿入される構造材である。深さ調整部３４は、フラットバー３２の挿入深さを調整する部分である。
【００３１】
フラットバー３２にはボルト貫通孔４０（本実施形態においては、このボルト貫通孔４０を上述した部材貫通孔の一例として示す）が設けられる。ボルト貫通孔４０の内周面には、雌ねじ部４００が形成される。本実施形態にかかる肘坪１０の取付が完了したとき、上述した全ねじボルト５０の中央部分８０（本実施形態においては、この中央部分８０を上述した孔用雄ねじ部の一例として示す）はこの雌ねじ部４００にねじ込まれている。
【００３２】
本実施形態においては、深さ調整部３４は断面円形の棒材である。本実施形態においては、その棒材の先端に調整用雄ねじ３４０が設けられている。
【００３３】
閉塞部６０は、側面座金９０（本実施形態においては、この側面座金９０を上述した被覆部の一例として示す）と、側面側袋ナット９２（本実施形態においては、この側面側袋ナット９２を上述した引掛部材の一例として示す）とを有する。側面側袋ナット９２は、全ねじボルト５０の動きを拘束する。側面座金９０は、側面側袋ナット９２の座金である。本実施形態にかかる側面座金９０の外形は菱形である。
【００３４】
［肘坪の取付方法の説明］
図３は、木製柱１２の一部を示す図である。図４は、本実施形態にかかる肘坪１０が取付けられたときの木製柱１２および開き戸１４の断面図である。図３および図４を参照しつつ、本実施形態にかかる肘坪１０の取付方法を説明する。
【００３５】
まず、作業者は、木製柱１２の正面（木製柱１２の表面のうち、門の外側を向いている面）に、肘坪１０を取付けるため、収容穴１５０を開ける。図３から明らかな通り、本実施形態における収容穴１５０は四角形をしている。
【００３６】
収容穴１５０が開いたら、作業者は、図示しないドリルで、収容穴１５０の底から木製柱１２の裏面（木製柱１２の表面のうち、門の内側を向いている面）まで突き抜けるように、底部連通孔１５２を開ける。
【００３７】
底部連通孔１５２が開いたら、作業者は、木製柱１２の側面（木製柱１２の表面のうち、開き戸１４に向かい合う面およびその裏側にあたる面）に、収容穴１５０と交差するよう木製柱１２を貫通する、柱貫通孔１５４を開ける。この柱貫通孔１５４を全ねじボルト５０が通る。本実施形態において、この柱貫通孔１５４の内径は、全ねじボルト５０の外径より大きい。このため、柱貫通孔１５４に全ねじボルト５０を通した後も、差込部材２０の挿入深さは調整できる。
【００３８】
柱貫通孔１５４が開いたら、作業者は、まず肘坪１０のフラットバー３２を表側座金７０に通してから、そのフラットバー３２を収容穴１５０に差込む。このとき、柱貫通孔１５４の一端からその中を覗いていると、まず深さ調整部３４が収容穴１５０の奥へ入っていくのが見え、その後、ボルト貫通孔４０を通して木製柱１２の向こう側が見える。ちなみに、夕方その他木製柱１２の向こう側が見えにくい状況のときには、木製柱１２の向こう側でライトを照らすとよい。これにより、そのライトの光が柱貫通孔１５４を通るので、ボルト貫通孔４０を通してその光が見えることとなる。木製柱１２の向こう側が見えたら、作業者は、木製柱１２の側面から柱貫通孔１５４の中を通してボルト貫通孔４０および収容穴１５０に全ねじボルト５０を貫通させる。途中、ボルト貫通孔４０の雌ねじ部４００に全ねじボルト５０の中央部分８０をねじ込む。なお、全ねじボルト５０の端部８２は木製柱１２の両端からはみ出させる。このとき、深さ調整部３４先端の調整用雄ねじ３４０は底部連通孔１５２を通って木製柱１２の裏面から突出している。
【００３９】
全ねじボルト５０が貫通したら、作業者は、表側座金７０を木製柱１２に図示しない釘で打付ける。これにより、表側座金７０は収容穴１５０とフラットバー３２との隙間を塞ぐこととなる。表側座金７０が打付けられたら、深さ調整部３４先端を裏側座金７２の孔に通す。
【００４０】
図１に示す４つの肘坪１０をすべてについてここまでの作業が終了したら、作業者は、コ字型部分１００に開き戸１４の框を嵌める。開き戸１４の框が嵌まったら、作業者は、図示しないボルトでコ字型部分１００に開き戸１４の框を仮に固定する。本来４本のボルトを固定のために使用するとすれば、このとき使用されるボルトは３本以下である。
【００４１】
開き戸１４の双方についてここまでの作業が完了したら、作業者は、上述した深さ調整部３４に図示しない六角ナット（上述した裏側袋ナット７４ではない）をねじ込み、この六角ナットを締付けることによって差込部材２０の挿入深さを調整する。
【００４２】
差込部材２０の挿入深さが調整されたら、作業者は、まず、全ねじボルト５０の端部８２それぞれに側面座金９０を通す。それが終了したら、作業者は、図示しない六角ナット（上述した側面側袋ナット９２ではない）を端部８２それぞれに取付ける。作業者は、これらの六角ナットを、それぞれ、木製柱１２の表面から適宜離れた位置で、端部８２に仮溶接（タック溶接とも言う）する。作業者は、これらの六角ナットを回して（つまり全ねじボルト５０にトルクを与えて）差込部材２０の左右方向（つまり全ねじボルト５０の軸方向）の位置を調整する。より具体的に述べると、このとき、作業者は、双方の六角ナットのうち差込部材２０を引き寄せたい側の六角ナットを回してこの六角ナットを側面座金９０の表面に接触させた後、これをさらに締める。これにより、回された六角ナットがある側に差込部材２０が引き寄せられる。ちなみに、木製柱１２の表面から離れている六角ナットを回すことで、全ねじボルト５０の木製柱１２の側面からの突出量を調整できる。
【００４３】
差込部材２０の位置調整は、図１に示した４つの肘坪１０すべてについて行う。４つの肘坪１０すべてについて差込部材２０の位置調整が完了したか否かの目安は、双方の開き戸１４を軽く開閉できるか否かである。４つの肘坪１０すべてについて正しく差込部材２０の位置を調整できていれば、肘坪１０にかかる開き戸１４の荷重がいずれもほぼ均等となるので、双方の開き戸１４を軽く開閉できる。差込部材２０の位置調整が完了したら、作業者は、調整用雄ねじ３４０にねじ込まれた六角ナットを外す。六角ナットを外すための具体的方法は特に限定されるものではないが、たとえば、サンダ（sander）によって六角ナットの仮溶接された部分を削り取るという方法がある。六角ナットを外したら、深さ調整部３４の先端を切断する。深さ調整部３４の先端が切断されたら、作業者は、そこに裏側袋ナット７４をねじ込む。これにより、裏側座金７２は裏側袋ナット７４によって木製柱１２に押さえつけられることとなる。木製柱１２に押さえつけられるので、裏側座金７２は底部連通孔１５２と深さ調整部３４との隙間を塞ぐこととなる。
【００４４】
深さ調整部３４の先端が裏側袋ナット７４で塞がれた後、作業者は、全ねじボルト５０から六角ナットをすべて外す。この六角ナットを外すための具体的方法も特に限定されるものではない。したがって、たとえば、調整用雄ねじ３４０にねじ込まれた六角ナットを外す場合と同様に、全ねじボルト５０と六角ナットとの間の仮溶接部分をサンダによって削り取るという方法を用いてよい。六角ナットが外されたら、作業者は、必要があれば、全ねじボルト５０を切断する。全ねじボルト５０の一端のみ、木製柱１２表面からの突出量が大き過ぎれば、その一端を切断する。全ねじボルト５０の両端の突出量が大き過ぎれば、両端を切断する。両端の突出量が適切であれば、切断の必要はない。このようにして、全ねじボルト５０の木製柱１２の側面からの突出量を適切に調整する。全ねじボルト５０の突出量が適切に調整されたら、作業者は、全ねじボルト５０の両端に側面側袋ナット９２をねじ込む。
【００４５】
図１に示す４つの肘坪１０をすべてについてここまでの作業が終了したら、作業者は、コ字型部分１００へ仮に固定されていた開き戸１４の框に、まだ使用されていなかったボルト（図示せず）を通す。その後、釘によって開き戸１４の框をコ字型部分１００へ完全に固定する。これで、肘坪１０の取付作業は終了する。図４にこのときの木製柱１２および開き戸１４の断面を示す。図４から明らかな通り、側面座金９０と側面側袋ナット９２とは、差込部材２０を挟んで配置されるよう、柱貫通孔１５４の中の全ねじボルト５０へ接続されていることとなる。
【００４６】
このとき、側面座金９０は、側面側袋ナット９２によって、木製柱１２にめり込まない程度に、そこに押さえつけられることとなる。木製柱１２に押さえつけられるので、側面座金９０は柱貫通孔１５４の開口部を覆うこととなる。ちなみに、開き戸１４が開閉することによって柱貫通孔１５４の軸方向の力を全ねじボルト５０が受けたとき、側面側袋ナット９２は、木製柱１２のうち柱貫通孔１５４の開口部を取り囲む部分１６０（図３参照）に側面座金９０を介して引っ掛かり、全ねじボルト５０の動きを拘束することとなる。
【００４７】
なお、木製柱１２が経年変形した結果として側面側袋ナット９２が緩んだ場合、これを再度締めることで、肘坪１０を固定し直すことができる。このとき、上述したのと同様の方法で、全ねじボルト５０の木製柱１２表面からの突出量を適切に調整できる。
【００４８】
［本実施形態にかかる肘坪の効果］
以上のようにして、本実施形態にかかる肘坪１０およびその取付方法は、柱貫通孔１５４を覗いたとき木製柱１２の反対側が見えるか否かという簡単な方法によって差込部材２０の大体の差込深さを調整できる。これにより、ボルト貫通孔４０に全ねじボルト５０を容易に貫通させることができる。全ねじボルト５０を容易に貫通させることができるので、差込部材２０の位置調整を容易に行うことができる。しかも、本実施形態にかかる肘坪１０は、木製柱１２の中に差込部材２０の少なくとも一部が挿入され、この差込部材２０によって開き戸１４の荷重を木製柱１２に伝える構造なので、極めて長期間にわたる耐久性を確保できる。
【００４９】
また、本実施形態の場合、部材貫通孔４０に全ねじボルト５０がねじ込まれた後、柱貫通孔１５４の軸方向における、その全ねじボルト５０の動きは、側面側袋ナット９２によって拘束される。これにより、柱貫通孔１５４の軸方向における差込部材２０の動きを拘束できる。しかも、本実施形態にかかる肘坪１０において、側面側袋ナット９２は、側面座金９０を介して柱貫通孔１５４の開口部を取り囲む部分１６０に引っ掛かる、引掛部材に過ぎない。側面側袋ナット９２が引掛部材に過ぎないので、ボルトとナットとの締め付け力によって差込部材２０を固定し続ける構造に比べ、門が完成した後も木製柱１２が受け続ける負担を大きく減らすことができる。木製柱１２が受け続ける負担を大きく減らすことができるので、木製柱１２がそれほど硬くない木材でできていても、木製柱１２の表面に側面座金９０がめり込むなどして損傷を受ける可能性は低くなる。
【００５０】
また、部材貫通孔４０に位置調整部材５０がねじ込まれた後、柱貫通孔１５４の両端の開口部は側面座金９０によって覆われる。これにより、雨水などといった木製柱１２の耐久性を低下させるものから木製柱１２の内部を保護できる。
【００５１】
さらに、本実施形態にかかる肘坪１０は、長い間に木製柱１２が経年変形した結果として側面側袋ナット９２が緩んだ場合にも、肘坪１０を容易に固定し直すことができる。
【００５２】
［変形例の説明］
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００５３】
例えば、側面側袋ナット９２によって差込部材２０の左右方向の位置を固定する構造に代え、割りピンその他同様の機能を有する引掛部材を用いてもよい。割りピンを用いる場合、中央部分に雄ねじを設けた棒材の両端にいくつか孔をあけ、その孔に割りピンを通すことで、その棒材の動きを抑えることができる。
【００５４】
また、全ねじボルト５０に代え、中央に雄ねじが設けられた棒材を用いてもよい。この場合、その長さは、木製柱１２の双方の側面から突出するほどの長さでなくともよい。この場合、適当なジグをその棒材の端に接続して、その棒材によって差込部材２０の位置とその棒材の位置とを調整するとよい。ジグと棒材とを接続するための具体的な構造が特に限定されないことは言うまでもない。たとえば、棒材の端に断面が六角形の穴を設け、ジグの先端の形状を六角柱にすることが考えられる。この場合、ジグを押すことで差込部材２０を移動させることができ、ジグにトルクを与えることで棒材の位置を調整できる。なお、この場合、柱貫通孔１５４の両端に詰め物をすることでその棒材の動きを拘束し、かつ、柱貫通孔１５４を閉塞してもよい。
【００５５】
また、全ねじボルト５０の端部８２それぞれに六角ナットを仮溶接することに代えて、六角ナットを端部８２それぞれに２つずつ取付け、いわゆるダブルナットとしてもよい。
【００５６】
また、側面座金９０の外形は菱形に限定されない。ただし、上述したとおり、柱貫通孔１５４の内径は、差込部材２０の挿入深さを調整できるよう、全ねじボルト５０の外径より大きくなっている。このため、側面座金９０は、柱貫通孔１５４の開口部を覆い得るような大きなものであることが好ましい。つまり、側面座金９０の孔の縁から側面座金９０の外周部分の縁までの幅の最小値が、柱貫通孔１５４と全ねじボルト５０との間にできる隙間の最大値より大きいことが好ましい。側面座金９０単独で柱貫通孔１５４の開口部を覆うことができないのであれば、他の部材と組み合わされることで柱貫通孔１５４の開口部を覆い得ることが好ましい。
【符号の説明】
【００５７】
１０  肘坪
１２  木製柱
１４  開き戸
２０  差込部材
２２  建具取付部材
２４  回転軸部材
３２  フラットバー
３４  深さ調整部
４０  ボルト貫通孔
５０  全ねじボルト
６０  閉塞部
８０  中央部分
８２  端部
９０  側面座金
９２  側面側袋ナット
１５０      収容穴
１５２      底部連通孔
１５４      柱貫通孔
４００      雌ねじ部
【要約】
【課題】  木製柱に取付けられる肘坪１０の位置調整を容易化する。
【解決手段】肘坪１０は、差込部材２０と、建具取付部材２２と、回転軸部材２４とを備える。差込部材２０は、木製柱の収容穴の中に少なくとも一部が挿入される。建具取付部材２２は、建具を取付ける。回転軸部材２４は、差込部材２０に対して建具取付部材２２が相対回転できるように差込部材２０と建具取付部材２２とを連結する。肘坪１０は、全ねじボルト５０と、一対の閉塞部６０とをさらに備える。全ねじボルト５０は、孔用雄ねじ部８０を有している。孔用雄ねじ部８０は、部材貫通孔４０の内周面の雌ねじ部４００にねじ込まれる。閉塞部６０は、全ねじボルト５０が部材貫通孔４０および収容穴を貫通しているときに差込部材２０を挟むように全ねじボルト５０へ接続されると、柱貫通孔の軸方向における全ねじボルト５０の動きを拘束し、かつ、柱貫通孔を閉塞する。
【選択図】  図２【図１】
0004633860.tif 000002
【図２】
0004633860.tif 000003
【図３】
0004633860.tif 000004
【図４】
0004633860.tif 000005